(57)【特許請求の範囲】
【請求項１】
印刷媒体に印刷を行って印刷物を作製する印刷部と、
本印刷装置の使用による温室効果ガス排出量を算出する温室効果ガス排出量算出部とを備え、
前記温室効果ガス排出量算出部は、
前記本印刷装置の使用による温室効果ガス排出量を算出するための算出対象項目を複数の項目から選択可能であり、
前記算出対象項目として、印刷物に関する消耗品の輸送による温室効果ガス排出量、および、作製された印刷物の輸送による温室効果ガス排出量の少なくともいずれか一方を選択可能であり、
前記印刷物の輸送による温室効果ガス排出量は、印刷物の納品のための輸送による温室効果ガス排出量と、印刷物の廃棄のための輸送による温室効果ガス排出量とを含むことを特徴とする印刷装置。
【請求項２】
前記温室効果ガス排出量算出部は、所定期間における前記本印刷装置の使用による温室効果ガス排出量と目標値との比較結果に基づき、温室効果ガス排出量を削減するための、前記算出対象項目に関する設定変更を行うことを特徴とする請求項１に記載の印刷装置。
【請求項３】
表示部をさらに備え、
前記温室効果ガス排出量算出部は、前記算出対象項目に関する設定変更を推奨する情報を前記表示部に表示させ、設定変更の指示に応じて設定変更を行うことを特徴とする請求項２に記載の印刷装置。
【請求項４】
前記温室効果ガス排出量算出部は、前記算出対象項目から、温室効果ガス排出量を削減するための設定変更に対する適用を除外する項目を選択可能であることを特徴とする請求項２または３に記載の印刷装置。
【請求項５】
前記温室効果ガス排出量算出部は、温室効果ガス排出量の目標削減量に応じて、前記算出対象項目から設定変更の対象とする項目を選択することを特徴とする請求項２乃至４のいずれか１項に記載の印刷装置。
【発明の詳細な説明】
【技術分野】
【０００１】
本発明は、印刷媒体に印刷を行う印刷装置に関する。
【背景技術】
【０００２】
近年、環境意識の高まりにより、印刷装置におけるＣＯ２（二酸化炭素）等の温室効果ガスの排出量をユーザが認識可能にする要求がある。そこで、印刷装置におけるＣＯ２排出量を算出する技術が提案されている。
【０００３】
例えば、特許文献１には、印刷装置の使用による消費電力をＣＯ２排出量に換算し、用紙等の消耗品の消費量からＣＯ２排出量を求め、各ＣＯ２排出量の合計を印刷装置のＣＯ２排出量として算出する技術が開示されている。
【先行技術文献】
【特許文献】
【０００４】
【特許文献１】特開２００２−６６９６号公報
【発明の概要】
【発明が解決しようとする課題】
【０００５】
しかしながら、特許文献１の技術では、算出されるＣＯ２排出量が、電力消費によるＣＯ２排出量と消耗品の消費によるＣＯ２排出量とに限られている。このため、ユーザにとって他に選択肢がなく、利便性が不足していた。
【０００６】
本発明は上記に鑑みてなされたもので、温室効果ガスの排出量の算出に関するユーザの利便性を向上できる印刷装置を提供することを目的とする。
【課題を解決するための手段】
【０００７】
上記目的を達成するため、本発明に係る印刷装置の第１の特徴は、印刷媒体に印刷を行って印刷物を作製する印刷部と、本印刷装置の使用による温室効果ガス排出量を算出する温室効果ガス排出量算出部とを備え、前記温室効果ガス排出量算出部は、前記本印刷装置の使用による温室効果ガス排出量を算出するための算出対象項目を複数の項目から選択可能であることにある。
【０００８】
本発明に係る印刷装置の第２の特徴は、前記温室効果ガス排出量算出部は、前記算出対象項目として、印刷物に関する消耗品の輸送による温室効果ガス排出量、および、作製された印刷物の輸送による温室効果ガス排出量の少なくともいずれか一方を選択可能であることにある。
【０００９】
本発明に係る印刷装置の第３の特徴は、前記印刷物の輸送による温室効果ガス排出量は、印刷物の納品のための輸送による温室効果ガス排出量と、印刷物の廃棄のための輸送による温室効果ガス排出量とを含むことにある。
【００１０】
本発明に係る印刷装置の第４の特徴は、前記温室効果ガス排出量算出部は、所定期間における前記本印刷装置の使用による温室効果ガス排出量と目標値との比較結果に基づき、温室効果ガス排出量を削減するための、前記算出対象項目に関する設定変更を行うことにある。
【００１１】
本発明に係る印刷装置の第５の特徴は、表示部をさらに備え、前記温室効果ガス排出量算出部は、前記算出対象項目に関する設定変更を推奨する情報を前記表示部に表示させ、設定変更の指示に応じて設定変更を行うことにある。
【００１２】
本発明に係る印刷装置の第６の特徴は、前記温室効果ガス排出量算出部は、前記算出対象項目から、温室効果ガス排出量を削減するための設定変更に対する適用を除外する項目を選択可能であることにある。
【００１３】
本発明に係る印刷装置の第７の特徴は、前記温室効果ガス排出量算出部は、温室効果ガス排出量の目標削減量に応じて、前記算出対象項目から設定変更の対象とする項目を選択することにある。
【発明の効果】
【００１４】
本発明に係る印刷装置の第１の特徴によれば、印刷装置の使用による温室効果ガス排出量を算出するための算出対象項目を複数の項目から選択可能としている。これにより、温室効果ガス排出量の算出に関するユーザの選択肢が広がり、利便性が向上する。
【００１５】
本発明に係る印刷装置の第２の特徴によれば、印刷装置の使用による温室効果ガス排出量の算出対象項目として、消耗品の輸送による温室効果ガス排出量、および、印刷物の輸送による温室効果ガス排出量の少なくともいずれか一方を選択可能である。これにより、印刷装置の使用による温室効果ガス排出量として、輸送に関する温室効果ガス排出量も考慮した精度の高い温室効果ガス排出量を算出できる。
【００１６】
本発明に係る印刷装置の第３の特徴によれば、印刷物の輸送による温室効果ガス排出量は、印刷物の納品のための輸送による温室効果ガス排出量と、印刷物の廃棄のための輸送による温室効果ガス排出量とを含む。これにより、印刷装置の使用による温室効果ガス排出量として、印刷物の使用後の廃棄の段階まで考慮した温室効果ガス排出量を算出できる。
【００１７】
本発明に係る印刷装置の第４の特徴によれば、温室効果ガス排出量算出部は、所定期間における印刷装置の使用による温室効果ガス排出量と目標値との比較結果に基づき、温室効果ガス排出量を削減するための、算出対象項目に関する設定変更を行う。これにより、以降の印刷装置の使用による温室効果ガス排出量を削減できる。
【００１８】
本発明に係る印刷装置の第５の特徴によれば、算出対象項目に関する設定変更を推奨する情報を表示部に表示させ、設定変更の指示に応じて設定変更を行う。これにより、ユーザの意思を確認しつつ、以降の印刷装置の使用による温室効果ガス排出量を削減することができる。
【００１９】
本発明に係る印刷装置の第６の特徴によれば、算出対象項目から、温室効果ガス排出量を削減するための設定変更に対する適用を除外する項目を選択可能である。これにより、ユーザが望まない設定変更を除いて、温室効果ガス排出量を削減するための設定変更の内容を決定できる。
【００２０】
本発明に係る印刷装置の第７の特徴によれば、温室効果ガス排出量の目標削減量に応じて、算出対象項目から設定変更の対象とする項目を選択することで、効率よく設定変更の内容を決定できる。
【図面の簡単な説明】
【００２１】
【図１】実施の形態に係る印刷装置の構成を示すブロック図である。
【図２】インク消費係数テーブルの一例を示す図である。
【図３】用紙消費係数テーブルの一例を示す図である。
【図４】用紙輸送係数テーブルの一例を示す図である。
【図５】印刷物輸送係数テーブルの一例を示す図である。
【図６】設定画面の一例を示す図である。
【図７】ＣＯ２排出量削減推奨処理のフローチャートである。
【図８】設定変更推奨画面の一例を示す図である。
【発明を実施するための形態】
【００２２】
以下、本発明の実施の形態について、図面を参照して説明する。
【００２３】
図１は、本発明の実施の形態に係る印刷装置の構成を示すブロック図である。図１に示すように、印刷装置１は、搬送部２と、印刷部３と、記憶部４と、操作パネル部５と、電力供給部６と、制御部７とを備える。
【００２４】
搬送部２は、印刷媒体である用紙を給紙台から取り出し、排紙台に排紙するまで搬送経路に沿って搬送する。
【００２５】
印刷部３は、搬送部２により搬送経路に沿って搬送される用紙に印刷を行い、印刷物を作製する。印刷部３は、用紙の搬送方向と略直交する方向に複数のノズルが配列されたラインタイプの４つのインクジェットヘッド（図示せず）を有する。印刷部３は、搬送部２により搬送される用紙にインクジェットヘッドからインクを吐出して画像を印刷する。４つのインクジェットヘッドは、互いに異なる色（シアン、マゼンタ、イエロー、ブラック）のインクを吐出する。これにより、カラー印刷が可能になっている。
【００２６】
記憶部４は、ＨＤＤ（Hard Disk Drive）等からなる。記憶部４は、温室効果ガスであるＣＯ２排出量の算出に用いられる各種テーブル等を予め記憶している。
【００２７】
具体的には、記憶部４は、図２に示すようなインク消費係数テーブル１１を記憶している。インク消費係数テーブル１１は、印刷物に関する消耗品であるインクの消費量に対応するＣＯ２排出量Ｅｃ１を算出するためのインク消費係数Ｋｃ１（ｇ‐ＣＯ２／ｇ）の値を、印刷部３で使用される各色のインクについて保持するものである。インク消費係数Ｋｃ１は、インク容器を含むインクの生産において発生したＣＯ２排出量の、インクの単位重量あたりの値である。
【００２８】
また、記憶部４は、図３に示すような用紙消費係数テーブル１２を記憶している。用紙消費係数テーブル１２は、印刷物に関する消耗品である用紙の消費量に対応するＣＯ２排出量Ｅｃ２を算出するための用紙消費係数Ｋｃ２（ｇ‐ＣＯ２／枚）の値を、用紙の種類（紙種）およびサイズごとに保持するものである。用紙消費係数Ｋｃ２は、用紙１枚あたりの生産において発生したＣＯ２排出量に相当する値である。
【００２９】
また、記憶部４は、インクの輸送によるＣＯ２排出量Ｅｔ１を算出するためのインク輸送係数Ｋｔ１（ｇ‐ＣＯ２／ｇ）の値を記憶している。ここで、各色のインクの比重は同等であるとする。インク輸送係数Ｋｔ１は、印刷装置１が設置された場所と当該場所へのインクの納入元の倉庫との間の、インク容器を含むインクの輸送によるＣＯ２排出量の、インクの単位重量あたりの値である。印刷装置１は、例えば、印刷業者の事業所に設置される。本実施の形態において、印刷装置１が設置された場所は印刷業者の事業所であるとする。記憶部４は、輸送手段ごとのインク輸送係数Ｋｔ１の値を記憶している。輸送手段は、輸送のために用いる交通手段であり、２つ以上の交通手段の組み合せも含む。交通手段としては、トラック（自動車）、鉄道、船舶、航空機等がある。インク輸送係数Ｋｔ１は、例えば、燃料法、燃費法、改良トンキロ法等を用いて予め算出される。
【００３０】
また、記憶部４は、図４に示すような用紙輸送係数テーブル１３を記憶している。用紙輸送係数テーブル１３は、用紙の輸送によるＣＯ２排出量Ｅｔ２を算出するための用紙輸送係数Ｋｔ２（ｇ‐ＣＯ２／枚）の値を、輸送手段と対応させて、用紙の種類およびサイズごとに保持するものである。用紙輸送係数Ｋｔ２は、印刷装置１が設置された印刷業者の事業所と当該事業所への用紙の納入元の倉庫との間の用紙の輸送によるＣＯ２排出量の、用紙１枚あたりの値である。用紙輸送係数Ｋｔ２は、例えば、燃料法、燃費法、改良トンキロ法等を用いて予め算出される。
【００３１】
また、記憶部４は、図５に示すような印刷物輸送係数テーブル１４を記憶している。印刷物輸送係数テーブル１４は、用紙に印刷された印刷物の輸送によるＣＯ２排出量を算出するための印刷物納品輸送係数Ｋｔ３（ｇ‐ＣＯ２／枚）および印刷物廃棄輸送係数Ｋｔ４（ｇ‐ＣＯ２／枚）の値を保持するものである。印刷物納品輸送係数Ｋｔ３は、印刷装置１が設置された印刷業者が作製した印刷物を顧客に納品するための輸送によるＣＯ２排出量Ｅｔ３を算出するためのものである。印刷物納品輸送係数Ｋｔ３は、印刷業者の事業所と顧客の事業所との間の輸送によるＣＯ２排出量の、用紙１枚あたりの値である。印刷物廃棄輸送係数Ｋｔ４は、印刷物が納品された印刷業者の顧客が印刷物を廃棄するための輸送によるＣＯ２排出量Ｅｔ４を算出するためのものである。印刷物廃棄輸送係数Ｋｔ４は、例えば、顧客の事業所と当該事業所の所在地域における廃棄物中間処理場との間の輸送によるＣＯ２排出量の、用紙１枚あたりの値である。印刷物輸送係数テーブル１４は、用紙の種類およびサイズごとの印刷物納品輸送係数Ｋｔ３および印刷物廃棄輸送係数Ｋｔ４の値を、輸送手段と対応させて、顧客ごとに保持している。印刷物納品輸送係数Ｋｔ３および印刷物廃棄輸送係数Ｋｔ４は、例えば、燃料法、燃費法、改良トンキロ法等を用いて予め算出される。
【００３２】
また、記憶部４は、設置時からの印刷装置１の使用によるＣＯ２排出量の累積値を記憶する。また、記憶部４は、所定の集計期間（例えば、１ヶ月）ごとの印刷装置１の使用によるＣＯ２排出量を記憶する。
【００３３】
操作パネル部５は、ユーザの入力操作を受け付けるとともに、各種の情報等を表示するものである。操作パネル部５は、入力部２１と、表示部２２とを備える。
【００３４】
入力部２１は、ユーザによる入力操作を受け付け、操作に応じた操作信号を出力する。入力部２１は、操作ボタン、タッチパネル等を有する。
【００３５】
表示部２２は、各種の情報等を表示するものである。表示部２２は、液晶表示パネル等からなる。
【００３６】
電力供給部６は、印刷装置１の各部を動作させるための電力を各部に供給する。
【００３７】
制御部７は、印刷装置１全体の動作を制御する。制御部７は、ＣＰＵ、ＲＡＭ、ＲＯＭ等を備えて構成される。ＣＰＵがプログラムを実行すること等により、搬送制御部３１、印刷制御部３２、ＣＯ２排出量算出部３３、電力制御部３４の機能が実現される。
【００３８】
搬送制御部３１は、印刷動作時に搬送部２を制御して、用紙を搬送経路に沿って搬送させる。
【００３９】
印刷制御部３２は、印刷部３を制御して、搬送部２により搬送される用紙に画像を印刷させる。
【００４０】
ＣＯ２排出量算出部３３は、印刷装置１の使用によるＣＯ２排出量を算出する。具体的には、ＣＯ２排出量算出部３３は、印刷ジョブごとに、複数の項目から選択した算出対象項目ごとのＣＯ２排出量を算出し、それらを合計して、印刷装置１の使用によるＣＯ２排出量Ｅｕ（ｇ‐ＣＯ２）を算出する。本実施の形態では、ＣＯ２排出量Ｅｕの算出対象項目として選択可能な項目としては、印刷装置１の電力消費によるＣＯ２排出量Ｅｐ、インクの消費量に対応するＣＯ２排出量Ｅｃ１、用紙の消費量に対応するＣＯ２排出量Ｅｃ２、インクの輸送によるＣＯ２排出量Ｅｔ１、用紙の輸送によるＣＯ２排出量Ｅｔ２、印刷物を顧客に納品するための輸送によるＣＯ２排出量Ｅｔ３、印刷物を廃棄するための輸送によるＣＯ２排出量Ｅｔ４がある。
【００４１】
電力制御部３４は、電力供給部６を制御する。例えば、印刷装置１が所定時間以上、印刷動作を行っていない場合、電力制御部３４は、電力供給部６を制御して、印刷装置１を通常電力状態（スタンバイ状態）から省電力状態（スリープ状態）へと移行させる。
【００４２】
次に、印刷装置１の動作について説明する。
【００４３】
印刷装置１では、ユーザ操作により、印刷装置１の使用によるＣＯ２排出量Ｅｕの算出対象項目を選択設定することができる。このとき表示部２２に表示される設定画面を図６に示す。
【００４４】
図６に示すように、設定画面４０には、上述したＣＯ２排出量の算出対象項目として選択可能な項目（ＣＯ２排出量項目）ごとに、算出対象指定ボタン４１と、ＣＯ２排出量削減対象指定ボタン４２とが表示される。
【００４５】
算出対象指定ボタン４１は、各項目を印刷装置１の使用によるＣＯ２排出量Ｅｕの算出対象項目として選択するためのものである。ユーザが算出対象指定ボタン４１を押下するたびに、ボタン内の「対象」と「対象外」とが切り替わる。ＣＯ２排出量算出部３３は、算出対象指定ボタン４１において「対象」とされた項目を、印刷装置１の使用によるＣＯ２排出量Ｅｕの算出対象項目として選択設定する。
【００４６】
ＣＯ２排出量削減対象指定ボタン４２は、ＣＯ２排出量を削減するための設定変更に対する適用を除外する項目を選択するためのものである。ユーザがＣＯ２排出量削減対象指定ボタン４２を押下するたびに、ボタン内の「対象」と「対象外」とが切り替わる。ＣＯ２排出量算出部３３は、ＣＯ２排出量削減対象指定ボタン４２において「対象外」とされた項目については、ＣＯ２排出量を削減するための設定変更の対象から除外する。ＣＯ２排出量削減対象指定ボタン４２において「対象」とされた項目については、ＣＯ２排出量算出部３３は、ＣＯ２排出量を削減するために、当該項目に関する設定変更を行う場合がある。なお、算出対象指定ボタン４１において「対象外」とされた項目については、ＣＯ２排出量削減対象指定ボタン４２においても「対象外」となるように連動する。
【００４７】
印刷ジョブが入力されると、印刷装置１は印刷を実行する。具体的には、搬送制御部３１は、搬送部２により用紙を順次搬送させ、印刷制御部３２は、搬送される用紙に印刷部３により画像を印刷させる。また、ＣＯ２排出量算出部３３は、当該印刷ジョブにおける印刷装置１の使用によるＣＯ２排出量Ｅｕを算出する。ここで、印刷装置１の使用によるＣＯ２排出量Ｅｕは、上述の各項目のＣＯ２排出量Ｅｐ，Ｅｃ１，Ｅｃ２，Ｅｔ１，Ｅｔ２，Ｅｔ３，Ｅｔ４のうち、設定画面４０の算出対象指定ボタン４１によりＣＯ２排出量の算出対象項目として選択された項目のＣＯ２排出量の合計である。ＣＯ２排出量算出部３３は、算出対象項目ごとのＣＯ２排出量を算出し、それらを合計して、印刷装置１の使用によるＣＯ２排出量Ｅｕを算出する。
【００４８】
ここで、各項目のＣＯ２排出量の算出方法について説明する。
【００４９】
（電力消費によるＣＯ２排出量）
印刷装置１の電力消費によるＣＯ２排出量Ｅｐを算出する場合、ＣＯ２排出量算出部３３は、印刷ジョブにおける印刷装置１の消費電力量Ｗを算出する。
【００５０】
印刷ジョブにおける消費電力量Ｗには、搬送部２による用紙搬送による消費電力量が含まれる。ＣＯ２排出量算出部３３は、印刷ジョブにおける印刷枚数、設定搬送速度等から、用紙搬送による消費電力量を算出する。
【００５１】
また、印刷ジョブにおける消費電力量Ｗには、印刷部３の駆動による消費電力量が含まれる。ＣＯ２排出量算出部３３は、印刷部３のインクジェットヘッドの駆動電圧、印刷ジョブにおける各ページの各色の印字率等から、印刷部３の駆動による消費電力量を算出する。
【００５２】
また、印刷ジョブにおける消費電力量Ｗには、前回実行された印刷ジョブ終了後の印刷装置１の待機時の消費電力量も含むものとする。待機時の消費電力量には、通常電力状態（スタンバイ状態）における消費電力量および省電力状態（スリープ状態）における消費電力量が含まれる。
【００５３】
また、印刷ジョブにおける消費電力量Ｗには、印刷部３のインクジェットヘッドのメンテナンス動作による消費電力量も含むものとする。メンテナンス動作は、印刷装置１が印刷動作を行っていないときに、インクジェットヘッドのノズルからインクを押し出したり、印字を目的としない吐出を行ったりする動作である。メンテナンス動作は、所定枚数の印刷ごとに行われる。このため、ＣＯ２排出量算出部３３は、メンテナンス動作による消費電力量を、印刷ジョブの印刷枚数に応じて割り当てる。
【００５４】
また、印刷ジョブによる印刷開始前にウォームアップ動作を行う場合、このウォームアップ動作による消費電力量も印刷ジョブにおける消費電力量Ｗに含むものとする。ウォームアップ動作は、印刷部３においてインクジェットヘッドに供給するインクの温度を適温に調整する動作である。
【００５５】
ＣＯ２排出量算出部３３は、上記のように算出した印刷ジョブにおける印刷装置１の消費電力量Ｗに、単位電力量あたりの発電によるＣＯ２排出量を乗算することで、電力消費によるＣＯ２排出量Ｅｐを算出する。
【００５６】
なお、印刷装置１にスキャナ装置や後処理装置が接続されている場合、これらの装置による消費電力量も、印刷ジョブにおける消費電力量Ｗに割り振るようにしてもよい。
【００５７】
（インクの消費量に対応するＣＯ２排出量）
インクの消費量に対応するＣＯ２排出量Ｅｃ１を算出する場合、ＣＯ２排出量算出部３３は、印刷ジョブにおけるインクの消費量を求める。このインクの消費量には、印刷によるインクの消費量と、メンテナンス動作によるインクの消費量とを含む。ＣＯ２排出量算出部３３は、印刷による各色のインクの消費量を、印刷ジョブによる各ページにおける各色の印字率等に基づいて求める。また、メンテナンス動作は、前述のように所定枚数の印刷ごとに行われるため、ＣＯ２排出量算出部３３は、メンテナンス動作による各色のインク消費量を、印刷ジョブの印刷枚数に応じて割り当てる。そして、ＣＯ２排出量算出部３３は、得られた各色のインクの消費量に、インク消費係数テーブル１１の各色のインク消費係数Ｋｃ１をそれぞれ乗算した値を合計して、インクの消費量に対応するＣＯ２排出量Ｅｃ１を算出する。
【００５８】
（用紙の消費量に対応するＣＯ２排出量）
用紙の消費量に対応するＣＯ２排出量Ｅｃ２を算出する場合、ＣＯ２排出量算出部３３は、印刷ジョブに含まれるページ数および片面／両面印刷モード設定を示す情報から、用紙の消費量（枚数）を求める。また、ＣＯ２排出量算出部３３は、印刷ジョブに含まれる用紙の種類およびサイズを示す情報に応じた用紙消費係数Ｋｃ２を用紙消費係数テーブル１２から取得する。そして、ＣＯ２排出量算出部３３は、用紙の消費量に用紙消費係数Ｋｃ２を乗算して、用紙の消費量に対応するＣＯ２排出量Ｅｃ２を算出する。
【００５９】
（インクの輸送によるＣＯ２排出量）
消耗品であるインクの輸送によるＣＯ２排出量Ｅｔ１を算出する場合、ＣＯ２排出量算出部３３は、設定された輸送手段に応じたインク輸送係数Ｋｔ１をインクの消費量に乗算して、インクの輸送によるＣＯ２排出量Ｅｔ１を算出する。ここで、インクの消費量は、上述したインクの消費量に対応するＣＯ２排出量Ｅｃ１を算出する場合と同様に求められる。
【００６０】
（用紙の輸送によるＣＯ２排出量）
消耗品である用紙の輸送によるＣＯ２排出量Ｅｔ２を算出する場合、ＣＯ２排出量算出部３３は、印刷ジョブに含まれる用紙の種類およびサイズを示す情報、および設定された輸送手段に応じた用紙輸送係数Ｋｔ２を用紙輸送係数テーブル１３から取得する。そして、ＣＯ２排出量算出部３３は、用紙の消費量に用紙輸送係数Ｋｔ２を乗算して、用紙の輸送によるＣＯ２排出量Ｅｔ２を算出する。
【００６１】
（印刷物の納品のための輸送によるＣＯ２排出量）
印刷物の納品のための輸送によるＣＯ２排出量Ｅｔ３を算出する場合、ＣＯ２排出量算出部３３は、印刷ジョブに含まれる納品先の顧客名を示す情報、用紙の種類およびサイズを示す情報、および設定された輸送手段に応じた印刷物納品輸送係数Ｋｔ３を、印刷物輸送係数テーブル１４から取得する。そして、ＣＯ２排出量算出部３３は、用紙の消費量と同量である印刷物の枚数に印刷物納品輸送係数Ｋｔ３を乗算して、印刷物の納品のための輸送によるＣＯ２排出量Ｅｔ３を算出する。
【００６２】
（印刷物の廃棄のための輸送によるＣＯ２排出量）
印刷物の廃棄のための輸送によるＣＯ２排出量Ｅｔ４を算出する場合、ＣＯ２排出量算出部３３は、印刷ジョブに含まれる納品先の顧客名を示す情報、用紙の種類およびサイズを示す情報、および設定された輸送手段に応じた印刷物廃棄輸送係数Ｋｔ４を、印刷物輸送係数テーブル１４から取得する。そして、ＣＯ２排出量算出部３３は、印刷物の枚数に印刷物廃棄輸送係数Ｋｔ４を乗算して、印刷物の廃棄のための輸送によるＣＯ２排出量Ｅｔ４を算出する。
【００６３】
以上が、各項目のＣＯ２排出量の算出方法の説明である。
【００６４】
ＣＯ２排出量算出部３３は、前述のように、算出対象項目ごとのＣＯ２排出量を合計して、印刷装置１の使用によるＣＯ２排出量Ｅｕを算出する。そして、ＣＯ２排出量算出部３３は、算出したＣＯ２排出量Ｅｕに基づき、記憶部４に記憶されている設置時からの印刷装置１の使用によるＣＯ２排出量の累積値、および集計期間ごとの印刷装置１の使用によるＣＯ２排出量を更新する。
【００６５】
印刷装置１では、ユーザによる入力部２１の操作に応じて、設置時からの印刷装置１の使用によるＣＯ２排出量の累積値、および集計期間ごとの印刷装置１の使用によるＣＯ２排出量を表示部２２に表示可能である。これにより、ユーザがＣＯ２排出量を認識できる。
【００６６】
また、印刷装置１では、集計期間における印刷装置１の使用によるＣＯ２排出量が目標値を超えた場合、ＣＯ２排出量の削減をユーザに推奨する。このために実行されるＣＯ２排出量削減推奨処理について、図７のフローチャートを参照して説明する。
【００６７】
図７のステップＳ１０において、ＣＯ２排出量算出部３３は、集計期間が終了したか否かを判断する。例えば、集計期間が１ヶ月であった場合に、ＣＯ２排出量算出部３３は、月末になったか否かを判断する。集計期間が終了していないと判断した場合（ステップＳ１０：ＮＯ）、ＣＯ２排出量算出部３３は、ステップＳ１０を繰り返す。
【００６８】
集計期間が終了したと判断した場合（ステップＳ１０：ＹＥＳ）、ステップＳ２０において、ＣＯ２排出量算出部３３は、今回の集計期間における印刷装置１の使用によるＣＯ２排出量Ｅｕが目標値を超えたか否かを判断する。
【００６９】
ＣＯ２排出量Ｅｕが目標値を超えたと判断した場合（ステップＳ２０：ＹＥＳ）、ステップＳ３０において、ＣＯ２排出量算出部３３は、ＣＯ２排出量Ｅｕの算出対象項目に関する各種設定において、ＣＯ２排出量Ｅｕを削減するための設定変更の内容を決定する。
【００７０】
ここで、電力消費によるＣＯ２排出量Ｅｐであれば、例えば、印刷装置１のスリープ状態への移行時間を短縮するように設定変更することで、ＣＯ２排出量を削減できる。また、印刷開始のためにウォームアップが必要なときは、所定数の印刷ジョブが入力されるまで待機し、それらを１回のウォームアップ後にまとめて印刷するようにすることで、ＣＯ２排出量を削減できる。
【００７１】
また、インクの消費量に対応するＣＯ２排出量Ｅｃ１であれば、例えば、省インク印刷モードの設定をＯＦＦからＯＮに変更することで、ＣＯ２排出量を削減できる。また、カラー印刷モードを使用できない設定とすることで、ＣＯ２排出量を削減できる。
【００７２】
また、用紙の消費量に対応するＣＯ２排出量Ｅｃ２であれば、例えば、片面／両面印刷モードの設定を両面印刷モードに固定することで、ＣＯ２排出量を削減できる。また、用紙消費係数Ｋｃ２の値が小さな種類やサイズの用紙を用いる設定とすることで、ＣＯ２排出量を削減できる。
【００７３】
また、インクの輸送によるＣＯ２排出量Ｅｔ１、用紙の輸送によるＣＯ２排出量Ｅｔ２、印刷物の納品のための輸送によるＣＯ２排出量Ｅｔ３、印刷物の廃棄のための輸送によるＣＯ２排出量Ｅｔ４であれば、輸送手段を変更することで、ＣＯ２排出量を削減可能である。
【００７４】
なお、本実施の形態では、インクの消費量が減少すると、インクの消費量に対応するＣＯ２排出量Ｅｃ１に加えて、インクの輸送によるＣＯ２排出量Ｅｔ１も減少する。また、例えば、用紙の消費量が減少すると、用紙の消費量に対応するＣＯ２排出量Ｅｃ２に加えて、用紙の輸送によるＣＯ２排出量Ｅｔ２、印刷物の納品のための輸送によるＣＯ２排出量Ｅｔ３、印刷物の廃棄のための輸送によるＣＯ２排出量Ｅｔ４も減少する。すなわち、消耗品（インク、用紙）の消費量に対応するＣＯ２排出量を削減することで、消耗品および印刷物の輸送によるＣＯ２排出量も削減されることがある。ただし、設定変更の内容の重複を避けるため、消耗品および印刷物の輸送によるＣＯ２排出量（Ｅｔ１〜Ｅｔ４）を削減するための設定変更の対象としては、消耗品の消費量を変更するような設定項目は除くものとする。
【００７５】
ＣＯ２排出量算出部３３は、今回までの集計期間における印刷装置１の使用状況の履歴を参照して、以降の集計期間におけるＣＯ２排出量Ｅｕが目標値以下となるように、上述のような設定変更の内容を決定する。印刷装置１の使用状況とは、例えば、各色のインクの消費量、顧客ごとの印刷枚数等である。設定変更の内容を決定する際、ＣＯ２排出量算出部３３は、ＣＯ２排出量削減対象指定ボタン４２において「対象外」とされた項目については、設定変更の対象から除外する。
【００７６】
なお、ＣＯ２排出量算出部３３は、目標削減量に応じて、算出対象項目から設定変更の対象とする項目を選択するようにしてもよい。例えば、目標削減量が所定値より小さい場合は、電力消費によるＣＯ２排出量Ｅｐおよびインクの消費量に対応するＣＯ２排出量Ｅｃ１とを設定変更の対象とし、目標削減量が所定値より大きい場合は、その他の項目も設定変更の対象とする。ここで、目標削減量は、今回の集計期間におけるＣＯ２排出量Ｅｕと目標値との差に相当する値である。
【００７７】
次いで、ステップＳ４０において、ＣＯ２排出量算出部３３は、ステップＳ３０で決定したＣＯ２排出量を削減するための設定変更を推奨する情報を表示部２２に表示させる。具体的には、ＣＯ２排出量算出部３３は、図８に示す設定変更推奨画面５０を表示部２２に表示させる。
【００７８】
図８に示すように、設定変更推奨画面５０には、ＣＯ２排出量の算出対象項目ごとに、推奨する設定変更の内容が表示される。また、設定変更推奨画面５０には、推奨する設定変更によるＣＯ２排出量の予想削減量が表示される。また、設定変更推奨画面５０には、設定変更を行う指示を受け付けるための「設定変更する」ボタン５１と、設定変更を行わない指示を受け付けるための「設定変更しない」ボタン５２とが表示される。
【００７９】
次いで、ステップＳ５０において、ＣＯ２排出量算出部３３は、設定変更推奨画面５０に対する入力操作が行われたか否かを判断する。具体的には、ＣＯ２排出量算出部３３は、「設定変更する」ボタン５１および「設定変更しない」ボタン５２のいずれかが押下されたか否かを判断する。入力操作が行われていないと判断した場合（ステップＳ５０：ＮＯ）、ＣＯ２排出量算出部３３は、ステップＳ５０の処理を繰り返す。
【００８０】
入力操作が行われたと判断した場合（ステップＳ５０：ＹＥＳ）、ステップＳ６０において、ＣＯ２排出量算出部３３は、設定変更が指示されたか否かを判断する。具体的には、ＣＯ２排出量算出部３３は、「設定変更する」ボタン５１が押下されたか否かを判断する。
【００８１】
「設定変更する」ボタン５１が押下されたと判断した場合（ステップＳ６０：ＹＥＳ）、ステップＳ７０において、ＣＯ２排出量算出部３３は、設定変更推奨画面５０で推奨した設定変更を行う。
【００８２】
なお、消耗品（インク、用紙）の輸送または印刷物の輸送のための輸送手段の設定変更を行った場合、ユーザは、設定変更後の輸送手段で実際にインクが輸送されるように輸送の手配を行う。
【００８３】
「設定変更しない」ボタン５２が押下されたと判断した場合（ステップＳ６０：ＮＯ）、ＣＯ２排出量算出部３３は、設定変更を行わずに一連の処理を終了する。
【００８４】
一方、ステップＳ２０において、今回の集計期間におけるＣＯ２排出量が目標値を超えていないと判断した場合（ステップＳ２０：ＮＯ）、ＣＯ２排出量算出部３３は、ＣＯ２排出量削減の推奨を行うことなく処理を終了する。
【００８５】
以上説明したように、印刷装置１では、印刷装置１の使用によるＣＯ２排出量Ｅｕを算出するための算出対象項目を、複数の項目から選択可能としている。これにより、印刷装置１では、ＣＯ２排出量の算出に関するユーザの選択肢が広がり、利便性が向上する。
【００８６】
また、印刷装置１では、印刷装置１の使用によるＣＯ２排出量Ｅｕの算出対象項目として、消耗品の輸送によるＣＯ２排出量、および、印刷物の輸送によるＣＯ２排出量の少なくともいずれか一方を選択可能である。これにより、印刷装置１の使用によるＣＯ２排出量Ｅｕとして、輸送に関するＣＯ２排出量も考慮した精度の高いＣＯ２排出量を算出することが可能になる。ここで、本実施の形態では、インクの輸送によるＣＯ２排出量Ｅｔ１、用紙の輸送によるＣＯ２排出量Ｅｔ２が、消耗品の輸送によるＣＯ２排出量に該当する。また、印刷物を顧客に納品するための輸送によるＣＯ２排出量Ｅｔ３、印刷物を廃棄するための輸送によるＣＯ２排出量Ｅｔ４が、印刷物の輸送によるＣＯ２排出量に該当する。
【００８７】
また、印刷装置１では、印刷物の輸送によるＣＯ２排出量として、印刷物の納品のための輸送によるＣＯ２排出量Ｅｔ３と、印刷物の廃棄のための輸送によるＣＯ２排出量Ｅｔ４とを含む。これにより、印刷装置１は、印刷装置１の使用によるＣＯ２排出量Ｅｕとして、印刷物の使用後の廃棄の段階まで考慮したＣＯ２排出量を算出できる。
【００８８】
また、印刷装置１では、ＣＯ２排出量算出部３３は、所定の集計期間における印刷装置１の使用によるＣＯ２排出量と目標値との比較結果に基づき、ＣＯ２排出量を削減するための、算出対象項目に関する設定変更の内容を決定する。そして、ＣＯ２排出量算出部３３は、設定変更を推奨するための設定変更推奨画面５０を表示部２２に表示させる。設定変更推奨画面５０に対する入力操作により設定変更が指示されると、ＣＯ２排出量算出部３３は、設定変更を行う。これにより、印刷装置１は、ユーザの意思を確認しつつ、以降の印刷装置１の使用によるＣＯ２排出量Ｅｕを削減することができる。
【００８９】
また、印刷装置１では、設定画面４０のＣＯ２排出量削減対象指定ボタン４２に対する操作に応じて、ＣＯ２排出量を削減するための設定変更に対する適用を除外する項目を選択可能である。これにより、ユーザが望まない設定変更を除いて、ＣＯ２排出量を削減するための設定変更の内容を決定できる。
【００９０】
また、ＣＯ２排出量算出部３３が、目標削減量に応じて、算出対象項目から設定変更の対象とする項目を選択することで、効率よく設定変更の内容を決定できる。
【００９１】
なお、設定変更推奨画面５０によりユーザに設定変更を推奨することなく、設定変更を実行するようにしてもよい。これにより、自動的に以降の印刷装置１の使用によるＣＯ２排出量Ｅｕを削減できる。
【００９２】
また、ＣＯ２排出量算出部３３は、ＣＯ２排出量を削減するための設定変更の内容を複数通り作成し、これらを設定変更推奨画面５０に表示して、ユーザにいずれかを選択させるようにしてもよい。
【００９３】
また、印刷物に関する消耗品として、インク、用紙以外のものを加えてもよい。例えば、印刷時に発色をよくするために用紙に塗布される前処理コート剤、印刷後に光沢を出すために用紙に塗布される後処理コート剤等を消耗品に加えてもよい。また、後処理装置で使用されるステープル、のり等を消耗品に加えてもよい。
【００９４】
また、インク以外の記録材、用紙以外の印刷媒体を消耗品として用いる印刷装置にも本発明は適用可能である。
【００９５】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００９６】
１  印刷装置
２  搬送部
３  印刷部
４  記憶部
５  操作パネル部
６  電力供給部
７  制御部
１１  インク消費係数テーブル
１２  用紙消費係数テーブル
１３  用紙輸送係数テーブル
１４  印刷物輸送係数テーブル
３１  搬送制御部
３２  印刷制御部
３３  ＣＯ２排出量算出部
３４  電力制御部
４０  設定画面
５０  設定変更推奨画面
【図１】
0005914008.tif 000002
【図２】
0005914008.tif 000003
【図３】
0005914008.tif 000004
【図４】
0005914008.tif 000005
【図５】
0005914008.tif 000006
【図６】
0005914008.tif 000007
【図７】
0005914008.tif 000008
【図８】
0005914008.tif 000009